(57)【要約】【課題】簡易な操作によって、フードの開口上側、開口下側、及び側面の各部分を段階的に収縮させ、使用者が所望する部分を段階的にフィットさせることができる衣類用フードを提供する。【解決手段】本発明に係る使用者の顔面に対応する開口を有する衣類用フードは、フード本体と、当該フード本体に形成される紐通し部と、紐通し部内に配設される紐と、当該紐の長さを調節する調節具と、を備え、紐通し部をフードの開口上側、開口下側、及び側面（側頭部）に形成し、調節具を操作することで、フードの開口上側、開口下側、側面のそれぞれを段階的に縮小させる。【選択図】図９
2019131949.tif 000002
【特許請求の範囲】
【請求項１】
使用者の顔面に対応する開口を有する衣類用のフードであって、
フード本体に設けられ、前記開口の上側半分の左右それぞれの縁部に沿って延びる第１紐通し部と、前記第１紐通し部の下端に連結すると共に、前記フード本体の左右側面に沿って延びる第３紐通し部とを有し、
前記第１紐通し部と前記第３紐通し部には第１紐が配設され、
前記フード本体の後部には、前記第１紐を巻き取り又は解放する調節部材を有し、
前記第１紐の一端は前記第１紐通し部の終端に固定され、他端は前記調節部材に固定され、
前記第１紐には、フック部材が固定され、
前記第３紐通し部の前記第１紐通し部と連結する部分に、前記フック部材が前記調節部材側へ移動することを規制するストッパーを有する、
ことを特徴とする衣類用フード。
【請求項２】
前記フック部材は、樹脂製又は金属製又は木製の球体部材である、
ことを特徴とする請求項１に記載の衣類用フード。
【請求項３】
前記フック部材は、前記第１紐を結んだ結び目である、
ことを特徴とする請求項１に記載の衣類用フード。
【請求項４】
前記ストッパーは、樹脂製又は金属製又は木製の筒状部材である、
ことを特徴とする請求項１ないし３のいずれか１項に記載の衣類用フード。
【請求項５】
前記ストッパーは、前記フック部材の外径より小さく形成した前記第３紐通し部の一部である、
ことを特徴とする請求項１ないし３のいずれか１項に記載の衣類用フード。
【請求項６】
前記調節部材は、ダイヤル式操作部を有し、ダイヤルの回転に応じて前記第１紐を巻き取り、又は解放する部材である、
ことを特徴とする請求項１ないし５のいずれか１項に記載の衣類用フード。
【請求項７】
使用者の顔面に対応する開口を有する衣類用のフードであって、
フード本体に設けられ、前記開口の下側半分の左右それぞれの縁部に沿って延びる第２紐通し部と、前記第２紐通し部の上端に連結すると共に、前記フード本体の左右側面に沿って延びる第３紐通し部とを有し、
前記第２紐通し部と前記第３紐通し部には第２紐が配設され、
前記フード本体の後部には、前記第２紐を巻き取り又は解放する調節部材を有し、
前記第２紐の一端は前記第２紐通し部の終端に固定され、他端は前記調節部材に固定され、
前記第２紐には、フック部材が固定され、
前記第３紐通し部の前記第２紐通し部と連結する部分に、前記フック部材が前記調節部材側へ移動することを規制するストッパーを有する、
ことを特徴とする衣類用フード。
【請求項８】
前記フック部材は、樹脂製又は金属製又は木製の球体部材である、
ことを特徴とする請求項７に記載の衣類用フード。
【請求項９】
前記フック部材は、前記第２紐を結んだ結び目である、
ことを特徴とする請求項７に記載の衣類用フード。
【請求項１０】
前記ストッパーは、樹脂製又は金属製又は木製の筒状部材である、
ことを特徴とする請求項７ないし９のいずれか１項に記載の衣類用フード。
【請求項１１】
前記ストッパーは、前記フック部材の外径より小さく形成した前記第３紐通し部の一部である、
ことを特徴とする請求項７ないし９のいずれか１項に記載の衣類用フード。
【請求項１２】
前記調節部材は、ダイヤル式操作部を有し、ダイヤルの回転に応じて前記第２紐を巻き取り、又は解放する部材である、
ことを特徴とする請求項７ないし１１のいずれか１項に記載の衣類用フード。
【請求項１３】
使用者の顔面に対応する開口を有する衣類用のフードであって、
フード本体に設けられ、前記開口の上側半分の左右それぞれの縁部に沿って延びる第１紐通し部と、前記開口の下側半分の左右それぞれの縁部に沿って延びる第２紐通し部と、前記第１紐通し部の下端及び前記第２紐通し部の上端に連結すると共に、前記フード本体の左右側面に沿って延びる第３紐通し部とを有し、
前記第１紐通し部と前記第３紐通し部には第１紐が配設され、前記第２紐通し部と前記第３紐通し部には第２紐が配設され、
前記フード本体の後部には、前記第１紐及び前記第２紐を巻き取り又は解放する調節部材を有し、
前記第１紐の一端は前記第１紐通し部の終端に固定され、他端は前記調節部材に固定され、
前記第２紐の一端は前記第２紐通し部の終端に固定され、他端は前記調節部材に固定され、
前記第１紐及び前記第２紐には、それぞれフック部材が固定され、
前記第３紐通し部の前記第１紐通し部及び前記第２紐通し部と連結する部分に、前記フック部材が前記調節部材側へ移動することを規制するストッパーを有する、
ことを特徴とする衣類用フード。
【請求項１４】
前記フック部材は、樹脂製又は金属製又は木製の球体部材である、
ことを特徴とする請求項１３に記載の衣類用フード。
【請求項１５】
前記フック部材は、前記第１紐を結んだ結び目である、
ことを特徴とする請求項１３に記載の衣類用フード。
【請求項１６】
前記ストッパーは、樹脂製又は金属製又は木製の筒状部材である、
ことを特徴とする請求項１３ないし１５のいずれか１項に記載の衣類用フード。
【請求項１７】
前記ストッパーは、前記リング状部材及び前記フック部材の外径より小さく形成した前記第３紐通し部の一部である、
ことを特徴とする請求項１３ないし１５のいずれか１項に記載の衣類用フード。
【請求項１８】
前記調節部材は、ダイヤル式操作部を有し、ダイヤルの回転に応じて前記第１紐を巻き取り、又は解放する部材である、
ことを特徴とする請求項１３ないし１７のいずれか１項に記載の衣類用フード。
【請求項１９】
請求項１ないし１８の何れか１項に記載の衣類用フードを備えた、
ことを特徴とする衣類。
【発明の詳細な説明】
【技術分野】
【０００１】
本発明は、衣類用フード及びこれを備える衣類に関する。
【背景技術】
【０００２】
従来より、レインコートや防寒服等のフード付きの衣類には、顔面が露出するフード開口の縁に沿って絞り紐が設けられ、当該絞り紐を締めることでフード開口の大きさを収縮できるようにし、例えば、風雨の際にフード開口の縁部を顔面に密着させるように収縮させて顔面への雨風の侵入を防止できるように構成されている。特許文献１が開示するフードにおいては、フード開口の縁に沿って延設した絞り紐の一端がフードの上端又は下端に固定され、上端から下端、又は下端から上端において折り返され、その後、側頭部から後方に延びるように設けられている。当該フードは、後頭部に設けた調節具によって絞り紐を締める操作によって、フード開口の上下部分が同時に絞られるようになっている。
【先行技術文献】
【特許文献】
【０００３】
【特許文献１】実用新案登録第３１８９０８８号公報
【発明の概要】
【発明が解決しようとする課題】
【０００４】
しかしながら、上述したフードの締め付け構造では、フードの上側（額側）部分と下側（顎側）部分が同時に収縮するものであり、例えば上側のみを収縮させたい場合には対応できず、更には、側頭部側が十分に絞れない、と言う問題がある。
【０００５】
本発明は、使用者の様々なニーズに応じて、フードの開口上側部分、フードの開口下側部分、及びフードの側面部分（側頭部分）の各部分を、簡単な操作によって、必要な箇所のみ、又は必要な箇所を段階的に収縮させることができる衣類用フード、及びそれを備えた衣類を提供することを目的とする。
【課題を解決するための手段】
【０００６】
また上記目的を達成するため、本願の第一の発明は、使用者の顔面に対応する開口を有する衣類用のフードであって、フード本体に設けられ、前記開口の上側半分の左右それぞれの縁部に沿って延びる第１紐通し部と、前記第１紐通し部の下端に連結すると共に、前記フード本体の左右側面に沿って延びる第３紐通し部とを有し、前記第１紐通し部と前記第３紐通し部には第１紐が配設され、前記フード本体の後部には、前記第１紐を巻き取り又は解放する調節部材を有し、前記第１紐の一端は前記第１紐通し部の終端に固定され、他端は前記調節部材に固定され、前記第１紐には、フック部材が固定され、前記第３紐通し部の前記第１紐通し部と連結する部分に、前記フック部材が前記調節部材側へ移動することを規制するストッパーを有する、ことを特徴とする。
【０００７】
また上記目的を達成するため、本願の第二の発明は、使用者の顔面に対応する開口を有する衣類用のフードであって、フード本体に設けられ、前記開口の下側半分の左右それぞれの縁部に沿って延びる第２紐通し部と、前記第２紐通し部の上端に連結すると共に、前記フード本体の左右側面に沿って延びる第３紐通し部とを有し、前記第２紐通し部と前記第３紐通し部には第２紐が配設され、前記フード本体の後部には、前記第２紐を巻き取り又は解放する調節部材を有し、前記第２紐の一端は前記第２紐通し部の終端に固定され、他端は前記調節部材に固定され、前記第２紐には、フック部材が固定され、前記第３紐通し部の前記第２紐通し部と連結する部分に、前記フック部材が前記調節部材側へ移動することを規制するストッパーを有する、ことを特徴とする。
【０００８】
さらに上記目的を達成するため、本願の第三の発明は、使用者の顔面に対応する開口を有する衣類用のフードであって、フード本体に設けられ、前記開口の上側半分の左右それぞれの縁部に沿って延びる第１紐通し部と、前記開口の下側半分の左右それぞれの縁部に沿って延びる第２紐通し部と、前記第１紐通し部の下端及び前記第２紐通し部の上端に連結すると共に、前記フード本体の左右側面に沿って延びる第３紐通し部とを有し、前記第１紐通し部と前記第３紐通し部には第１紐が配設され、前記第２紐通し部と前記第３紐通し部には第２紐が配設され、前記フード本体の後部には、前記第１紐及び前記第２紐を巻き取り又は解放する調節部材を有し、前記第１紐の一端は前記第１紐通し部の終端に固定され、他端は前記調節部材に固定され、前記第２紐の一端は前記第２紐通し部の終端に固定され、他端は前記調節部材に固定され、前記第１紐及び前記第２紐には、それぞれフック部材が固定され、前記第３紐通し部の前記第１紐通し部及び前記第２紐通し部と連結する部分に、前記フック部材が前記調節部材側へ移動することを規制するストッパーを有する、ことを特徴とする。
【発明の効果】
【０００９】
本願の第一発明によれば、調節部材の操作によって、まずはフード本体の開口の上側を収縮させ、この開口上側のみの一定収縮で十分な場合には、調節部材の操作を停止し、更にフード側面も収縮させたい場合には、調節部材を更に操作することにより、開口上側に続いてフード側面も段階的に収縮させることができる。
【００１０】
また本願の第二発明によれば、調節部材の操作によって、まずはフード本体の開口の下側を収縮させ、この開口下側のみの一定収縮で十分な場合には、調節部材の操作を停止し、更にフード側面も収縮させたい場合には、調節部材を更に操作することにより、開口下側に続いてフード側面も段階的に収縮させることができる。
【００１１】
また本願の第三発明によれば、調節部材の操作によって、まずはフード本体の開口上側と開口下側を同時に収縮させ、この上側及び下側の収縮で十分な場合には、調節部材の操作を停止し、更にフードの側面も収縮させたい場合には、調節部材を更に操作することにより、開口に続いてフードの側面も段階的に収縮させることができる。
【００１２】
以上のとおり、本願の各発明によれば、使用者の顔面に対応する開口を有する衣類用フードにおいて、開口の上側半分、開口の下側半分、フードの側面の３つの箇所を、簡単な構成により、使用者の要求に応じて必要な箇所のみ、又は更に必要な箇所を段階的に収縮させて、顔面にフィットさせることができる。
【図面の簡単な説明】
【００１３】
【図１】本発明の第一実施形態に係る衣類１の一部を含む外観図。
【図２】本発明の第一実施形態に係るフード１０の正面図。
【図３】本発明の第一実施形態に係るフード１０の側面図。
【図４】本発明の第一実施形態に係るフード１０の側面における内部を示す図。
【図５】本発明の第一実施形態に係るフード１０の側面における内部を示す図。
【図６】本発明の第一実施形態に係るフード１０の側面における内部を示す図。
【図７】本発明の第二実施形態に係るフード１１０の側面における内部を示す図。
【図８】本発明の第二実施形態に係るフード１１０の側面における内部を示す図。
【図９】本発明の第三実施形態に係るフード１０の正面図。
【図１０】本発明の第三実施形態に係るフード１０の側面図。
【図１１】本発明の第三実施形態に係るフード１０の側面における内部を示す図。
【図１２】本発明の第三実施形態に係るフード１０の側面における内部を示す図。
【図１３】本発明の第三実施形態に係るフード１０の側面における内部を示す図。
【図１４】本発明の第三実施形態に係るフード１０の変形例を示す図。
【図１５】本発明の第四実施形態に係るフード１１０の正面図。
【図１６】本発明の第四実施形態に係るフード１１０の側面図。
【図１７】本発明の第四実施形態に係るフード１１０の側面における内部を示す図。
【図１８】本発明の第四実施形態に係るフード１１０の側面における内部を示す図。
【図１９】本発明の第四実施形態に係るフード１１０の側面における内部を示す図。
【発明を実施するための形態】
【００１４】
以下、本発明の実施形態につき、適宜図面を参照して説明する。なお、図面における共通する構成要素には同一の参照符号が付されている。
【００１５】
図１は、本発明に係る衣類用フード（以下、フード）が適用される衣類１の一部を含む外観図である。衣類１は、例えば、レインコート又は防寒服等であり、本発明に係るフード１０を備える。フード１０は、衣類１の本体から着脱可能に構成することができ、又は、衣類１と一体に形成することもできる。
【００１６】
本発明の第一実施形態について、図２〜６を用いて説明する。
図２は、第一実施形態に係るフード１０の正面図であり、図３は、同じくフード１０の側面図であり、図４は、同じくフード１０の側面における内部を示す図である。フード１０は、図示するように、使用者の頭部を覆う形状を有し、かつ使用者の顔面に対応する開口２０を有するフード本体１２と、当該開口２０の周縁、及び側部に形成された紐通し部２２と、当該紐通し部内に通される第１紐１４、及び第２紐１６と、フード本体１２の後方に設けられ、第１紐を巻き取り、又は解放する調節具１８（調節部材）と、を備えている。
【００１７】
紐通し部２２は、図４に示すように、フード本体１２の開口２０の上側半分（顔面の額側）の左右それぞれの縁部に沿って略上下方向に延びる一対の第１紐通し部２２ａと、開口２０の下側半分（顔面の顎側）の左右それぞれの縁部に沿って略上下方向に延びる一対の第２紐通し部２２ｂと、第１紐通し部２２ａの下端及び第２紐通し部２２ｂの上端と連結すると共に、フード本体１２の左右それぞれの側面において略前後方向に延びる一対の第３紐通し部２２ｃから構成されている。紐通し部２２は、例えば、複層構造（例えば、表地と裏地の２層構造）を有するフード本体１２の内部において袋状に形成され、第１紐１４及び第２紐１６が収容配設され、各紐の移動経路として機能する。
【００１８】
なお上記の例において、紐通し部２２は、第１紐通し部２２ａ及び第２紐通し部２２ｂが略上下方向に連続して繋がるように設けられているが、例えば、第１紐通し部２２ａ及び第２紐通し部２２ｂが連続して繋がらず、第３紐通し部２２ｃの異なる位置に連結するように構成しても良い。更に、左右に分割された第３紐通し部２２ｃを、フード本体１２の後方において連結し、１つの連続した第３紐通し部２２ｃとして構成しても良い。
【００１９】
第１紐１４は、図示するように、第一紐通し部２２ａ及び第３紐通し部２２ｃ内に配設されており、一端は、第一紐通し部の終端に固定され、他端は調節具１８に連結固定されている。
【００２０】
また、第１紐１４は、紐通し部２２の内部において、第２紐１６に連結固定されたリング状部材２４の孔２４ａに通されており、第１紐１４には、当該リング状部材２４よりも第１紐通し部２２ａの終端側（開口２０の上端側）に、フック部材６が固定されている。
【００２１】
本実施形態では、フック部材６は、第１紐１４を結んだ結び目として構成されており、当該結び目の外径は、リング状部材２４の孔２４ａの内径よりも大きく、この結果、フック部材２６は、リング状部材２４に引っ掛かるようになっている。なおフック部材２６は、上記の結び目に代えて、樹脂製、金属製、木製等の球体形状物であっても良く、更には、内部に第１紐１４を挿通可能なコードストッパーとしてもよい。コードストッパーとは、例えば、特開平１１−９９００８号公報や特開２０１２−２１７５４０号公報に開示されているように、その内部に紐を係止可能に挿通することができるものである。フック部材２６をコードストッパーとすることにより、第１紐１４の任意の位置にフック部材２６を移動させて固定することができる。
【００２２】
一方、第２紐１６は、図示するように、第２紐通し部２２ｂ内に配設されており、一端は、第２紐通し部２２ｂの終端に固定され、他端には上記したリング状部材２４が固定されている。
【００２３】
調節具１８は、フード本体１２の後端（後頭部付近）に設けられており、前述のとおり、第１紐１４が、巻き取り又は解放可能に固定されている。調節具１８はダイヤル式であり、使用者によるダイヤルの回転操作に応じて、第１紐１４が、巻き取り又は解放されるようになっている。また、調節具１８は、ラチェット式になっており、第１紐１４を巻き取る際は逆回転しないようになっている。巻き取った第１紐１４を解放する際には、ボタン等の操作によってラチェットを解除すれば良い。
【００２４】
次に、上記のように構成された第一実施形態におけるフード１０を、使用者の顔面にフィットさせる際の動作について説明する。使用者が、調節具１８のダイヤルを回転操作して第１紐１４を巻き取ると、第１紐１４が、第３紐通し部２２ｃ、及び第１紐通し部２２ａ内において調節具１８側に引っ張られる。この結果、当該第１紐１４が固定されている開口２０の上端が下方向に引っ張られ、フード本体１２の開口２０の上側部分が収縮する（図５参照）。
【００２５】
使用者のニーズが、フードの開口上側半分のみ、即ち、額側のみを収縮させたい場合には、ここで調節具１８のダイヤル操作を停止し、フード本体１２の開口上側のみを収縮させた状態を保持すれば良い。
【００２６】
使用者のニーズが、フードの開口下側半分、即ち、顎側も収縮させたい場合には、調節具１８のダイヤル操作を引き続き継続する。すると、第１紐１４が更に調節具１８側に引っ張られて移動すると同時に、第１紐１４に固定されたフック部材２６が第２紐１６に固定されたリング状部材２４と当接することにより、第２紐１６が第１紐１４と連動して調節具１８側に引っ張られる（図６参照）。第２紐１６の一端は、第２紐通し部２２ｂの終端側に固定されているため、フード本体１２の開口下側半分（顎側部分）も収縮する。
【００２７】
以上のとおり、第一実施形態におけるフード１０によれば、調節具１８のダイヤル操作により、最初は（フック部材２６がリング状部材２４に引っ掛かるまでは）、開口２０の上側部分（額付近）だけが収縮し、さらに調節具１８のダイヤル操作を続けることで、開口２０の下側部分（顎付近）も収縮するように構成されている。従って、使用者は、調節具１８を操作することにより、自らの必要性（ニーズ）に応じて、開口２０の上側半分だけを収縮させるか、或いは開口２０の上側半分に続いて下側半分も収縮させるかを、段階的に行うことができる。
【００２８】
なお、前記のとおりフック部材２６をコードストッパーとすれば、第１紐１４の任意の位置にフック部材２６を移動固定できるため、開口２０の収縮量を調整することができる。
【００２９】
次に、図７〜８に基き、本発明の第二実施形態について説明する。
第二実施形態が、上記した第一実施形態と相違する点は、フード１０の開口２０に加えて、側面（側頭部側）も段階的に収縮できる点である。
図７は、第二実施形態に係るフード本体１０の側面における内部を示す図である。第二実施形態において、フードの側面の収縮動作は、第３紐通し部２２ｃに、リング状部材２４及びフック部材２６が調節具１８側へ移動することを規制するストッパー１２８を設けることによって実現している。
【００３０】
本実施形態において、ストッパー１２８は、樹脂製或いは金属製等からなる筒状体であり、外周面の一部が第３紐通し部２２ｃの前後方向略中央よりも前方位置に固定されている。本実施形態によれば、ストッパー１２８は、例えば、フード本体１２に接着剤を用いて固定したり、或いは縫い付けられて固定されている。
【００３１】
上記のように構成された第二実施形態に係るフードの動作について説明する。使用者による調節具１８のダイヤル操作に基づいて、開口２０の上側、及び下側の段階的収縮動作は、上記第一実施形態と同様であるが、開口２０の上側及び下側が収縮した後、使用者が更にフードの側面も収縮させたい場合には、更にダイヤルの回転操作を継続する。すると、図８に示すように、第１紐１４に固定されたフック部材２６がリング状部材２４を引っ掛かけた状態でストッパー１２８に当接し、それ以降の移動が規制されるため、使用者が更にダイヤル操作を継続すると、ストッパー１２８と調節具１８との間、即ち、フード本体１０の側面が収縮するようになる。
【００３２】
なお、上記実施形態におけるストッパーは、樹脂製或いは金属製等からなる筒状体としたが、第３紐通し部２２ｃによっても代替可能である。即ち、第３紐通し部の径を、少なくとも第１及び第２紐通し部と連結する部分において小さく構成し、リング状部材２４及びフック部材２６が第３紐通し部の入り口で規制され、第３紐通し部内に入らずに、引っ掛かる大きさとすれば良い（図示せず）。こうすることで、別体の筒状体をわざわざ第３紐通し部に設ける必要がない。
【００３３】
以上、本発明の第二実施形態によれば、使用者が調節具１８のダイヤルを回転操作して第１紐１４を巻き取ると、まずはフード本体１０の開口２０の上側が収縮し、更にダイヤル操作を継続すれば、開口２０の下側が収縮し、更にダイヤル操作を継続すれば、フードの側面（側頭部）が収縮する。即ち、第二実施形態によれば、使用者のニーズに応じて、フード本体の開口上側のみ、或いは開口上側と開口下側、更には側面と、フードの３つの箇所を段階的に収縮させることができる。
【００３４】
次に、図９〜１４に基き、本発明の第三実施形態について説明する。
第三実施形態が上記した第一、第二実施形態と相違する点は、フード本体１２の開口２０の上側と側面を段階的に収縮させる点である。図９は、フード１０の正面図であり、図１０は、同じくフード１０の側面図であり、図１１は、同じくフード１０の側面における内部を示す図である。
【００３５】
本実施形態に係る紐通し部２２が、上記した第一、第二実施形態と相違する点は、図１１に示すように、フード本体１２の開口２０の上側半分の左右それぞれの縁部に沿って略上下方向に延びる一対の第１紐通し部２２ａと、第１紐通し部２２ａの下端と連結すると共に、フード本体１２の左右それぞれの側面において略前後方向に延びる一対の第３紐通し部２２ｃの２つから構成される点である。
【００３６】
第一紐通し部２２ａと第３紐と通し部２２ｃとの交点には、第二実施形態と同様のストッパー１２８が設けられている。ストッパー１２８は、フード１０の側面から見て略扇形の輪郭を有し、第１紐通し部２２ａ側と第３紐通し部２２ｃ側にそれぞれ向けられた孔部を有すると共に扇形の円弧に沿って延びる貫通孔２５を有する。ストッパー１２８は、樹脂製、金属製等からなり、例えば、フード本体１２に接着剤を用いて固定したり、或いは縫い付けられて固定されている。
【００３７】
第１紐１４には、第一、第二実施形態と同様にフック部材２６が固定されており、調節具１８のダイヤル回転操作によって移動し、フック部材２６がストッパー１２８に当接して引っ掛かるように構成されている。
【００３８】
上記のように構成された第三実施形態に係るフード１０の動作は、図１２、図１３に示すとおり、使用者が、調節具１８を回転操作して第１紐１４を巻き取ると、第１紐１４が調節具１８側に引っ張られることにより、開口２０上側が収縮する（図１２参照）。
【００３９】
使用者が、フードの開口上側のみの収縮させたい場合には、ここでダイヤル操作を終了する。また使用者が、更にフードの側面も収縮させたい場合には、引き続きダイヤルを回転操作することで、フック部材２６がストッパー１２８に当接した後、図１３に示すように、フード本体の側面（側頭部）が段階的に収縮する。
【００４０】
なお、上記実施形態におけるストッパーは、樹脂製或いは金属製等からなる部材としたが、第二実施形態と同様に、少なくとも第３紐通し部２２ｃが第１紐１４と連結する部分において、第３紐通し部２２ｃの径を小さくすることよっても代替可能である（図示せず）。また、フック部材も、第一、第二実施形態と同様に、コードストッパーとしても良い。
【００４１】
また、上記実施形態におけるストッパー１２８は、第１紐通し部２２ａ及び第３紐通し部２２ｃの交点付近に設けたが、紐通し部２２の任意の部分に設けても良い。例えば、図１４に例示するように、筒状体で構成し、第１紐通し部２２ａの下側（２２ａと２２ｃの交点の上方）に設けても良い。
【００４２】
以上、本発明の第三実施形態によれば、使用者が調節具１８のダイヤルを操作して第１紐１４を巻き取ると、まずはフード本体１０の開口上側が収縮し、更にダイヤル操作を継続すれば、側面を収縮するように出来る。即ち、第三実施形態によれば、使用者のニーズに応じて、フード本体の開口上側のみ、更には開口上側に続いて側面を段階的に収縮させることができる。
【００４３】
次に、本発明の第四実施形態について説明する。第四実施形態は、上記した第三実施形態の開口２０の上側に変えて、開口２０の下側と側面を収縮させるようにしたものであり、第三実施形態を上下逆さに構成したものである。本実施形態については特に図示しないが、図２０を参照されたい。
【００４４】
本実施形態に係る紐通し部２２は、フード本体１２の開口２０の下側半分の左右それぞれの縁部に沿って略上下方向に延びる一対の第２紐通し部２２ａと、第２紐通し部２２ａの上端と連結すると共に、フード本体１２の左右それぞれの側面において略前後方向に延びる一対の第３紐通し部２２ｃの２つから構成される。ストッパー及びフック部材、調節具の構造は、第三実施形態と同じである。
【００４５】
本発明の第四実施形態によれば、使用者が調節具１８のダイヤルを操作して第２紐１４を巻き取ると、まずはフード本体１０の開口下側が収縮し、更にダイヤル操作を継続すれば、側面を収縮するように出来る。即ち、第四実施形態によれば、使用者のニーズに応じて、フード本体の開口下側のみ、更には開口下側に続いて側面を段階的に収縮させることができる。
【００４６】
次に、図１５〜１９に基き、本発明の第五実施形態について説明する。
第五実施形態が、上記第一〜第四実施形態と異なる点は、フード本体１２の開口上側及び開口下側を同時に収縮させ、その後、側面を段階的に収縮させる構成である。図１５は、本実施形態におけるフード１０の正面図であり、図１６は、同じくフード１０の側面図であり、図１７は、同じくフード１０の側面における内部を示す図である。
【００４７】
本実施形態における紐通し部２２は、図１５〜１９に示すように、第一、第二実施形態と同様の構成である。本実施形態が第一、第二実施形態と相違する点は、第２紐１６が、第一紐１４と同様に、一端が第２紐通し部２２ｂの終端に固定され、他端が調節具１８に固定されている点、及び第２紐１６にも第１紐１４と同様にフック部材１２６が固定されており、第１紐に固定されたフック部材２６とともに、一つのストッパー１２４に当接する点である。
【００４８】
ストッパー１２４は樹脂製或いは金属製等からなり、図１７に示すとおり、第１紐１４と第２紐１６が第１紐通し部及び第２紐通し部から挿入され、かつ同方向に合流して第３紐通し部から調節具１８に導くＴ字形の孔を有する構造となっている。なお、ストッパー１２４は、第１紐及び第２紐のそれぞれに対応する２つのストッパーで構成しても良い（例えば、第二実施形態で示したストッパーを２つ用いる）。
【００４９】
なお、第１紐１４、第２紐１６は、調節具１８に固定する側において接着剤等で接着して１本の紐とし、一本の紐となった部分を調節具１８に固定しても良い。また、２本の紐を途中で結んで同時に引っ張れるようにしても良い。更には、２本の紐を金属線等で途中でカシメて、同時に引っ張れるようにしても良い。また、第１紐１４に固定されたフック部材２６とストッパー１２４との距離、及び第２紐１６に固定されたフック部材１２６とストッパー１２４との距離は、略同一となっている。また、フック部材の構造は、第一〜第四実施形態で示したものと同様である。
【００５０】
上記のように構成された第五実施形態に係るフード１０の動作を、図１８、１９に基づいて説明する。まず使用者が、調節具１８のダイヤルを回転操作して第１紐１４及び第２紐１６を巻き取ると、第１紐１４及び第２紐１６が同時に引っ張られることにより、開口２０の上側及び下側が同時に収縮する（図１８参照）。
【００５１】
使用者が、フードの開口上側及び下側のみを収縮させた場合には、この段階でダイヤル操作を停止すれば良い。使用者が、更にフードの側面も収縮させたい場合には、更にダイヤル操作を継続する。すると、第１紐及び第２紐にそれぞれ固定されているフック部材２６がストッパー１２４に当接し、その移動が規制されるため、ストッパー１２４が調節具１８側に引っ張られ、フードの側面が収縮する（図１９参照）。
【００５２】
以上のとおり、第五実施形態に係るフード１０によれば、調節具１８のダイヤル操作により、開口２０の上側及び下側が同時に収縮し、更にダイヤル操作を継続することにより、側面が収縮するように構成されおり、使用者は、調節具１８のダイヤルを回転操作することにより、フードの開口上側及び開口下側の収縮と、更には側面の収縮を段階的に行うことができる。
【００５３】
なお、上記実施形態におけるストッパーは、樹脂製或いは金属製等からなる部材としたが、第二〜四実施形態と同様に、少なくとも第３紐通し部２２ｃが第１紐１４と連結する部分において、第３紐通し部２２ｃの径を小さくすることよっても代替可能である（図示せず）。また、フック部材も、第一〜三実施形態と同様に、コードストッパーとしても良い。
【００５４】
以上、本発明に係る第一〜第五実施形態について説明したが、本発明の実施形態は、上述した各実施形態に限定されるものではなく、その要旨を逸脱しない範囲内で様々な変更が可能である。例えば、左右一対の第１紐１４、第２紐１６は、開口の上部（頂部）又は下部（底部）で連結して１本の紐として構成することもできる。更に、リング状部材２４、フック部材２６、ストッパー１２８の構造、形状、配置等は例示であって、様々な変更が可能である。
【００５５】
また上記各実施形態では、調節具１８がダイヤルの回転操作に応じて第１紐、第２紐を巻き取り又は解放するように構成したが、これに限定されず、例えば、手動で紐を引っ張り、コードストッパーで固定するなど、適宜の構成であっても良い。本明細書においては、手動で引っ張ってコードストッパーで固定する調節具であっても、巻き取り又は解放の範囲と定義する。
【００５６】
また、第三実施形態と第四実施形態と合体させ、２つの調節具によって開口の上側半分と下側半分と、それぞれ独立して収縮させるように構成しても良い。
【００５７】
以上のとおり、本発明に係る衣類用フードによれば、使用者の顔面に対応する開口の上側半分、下側半分、及び側面（側頭部）のそれぞれを、簡単な構成によって使用者のニーズに応じて段階的に収縮させることができる。
【００５８】
また、以上説明した衣類用フードは、各種の衣類に適用される。
【符号の説明】
【００５９】
１  衣類
１０  フード
１２  フード本体
１４  第１紐
１６  第２紐
１８  調節具
２０  開口
２２  紐通し部
２２ａ  第１紐通し部
２２ｂ  第２紐通し部
２２ｃ  第３紐通し部
２４  リング状部材
２６  フック部材
１２８  ストッパー
【図１】
2019131949.tif 000003
【図２】
2019131949.tif 000004
【図３】
2019131949.tif 000005
【図４】
2019131949.tif 000006
【図５】
2019131949.tif 000007
【図６】
2019131949.tif 000008
【図７】
2019131949.tif 000009
【図８】
2019131949.tif 000010
【図９】
2019131949.tif 000011
【図１０】
2019131949.tif 000012
【図１１】
2019131949.tif 000013
【図１２】
2019131949.tif 000014
【図１３】
2019131949.tif 000015
【図１４】
2019131949.tif 000016
【図１５】
2019131949.tif 000017
【図１６】
2019131949.tif 000018
【図１７】
2019131949.tif 000019
【図１８】
2019131949.tif 000020
【図１９】
2019131949.tif 000021